(57)【要約】      （修正有）【課題】日々の生活での金銭受け渡し行為が問題なく円滑に遂行され、素早く完結させことができる金銭受け渡し用容器を提供させること。【解決手段】深皿や盆或いは箱状容器の平底部１に平らに乗って収容されている紙幣を指で押さえると、紙幣端が持ち上がるよう紙幣に対し機能する小突起状の部品３を平底部に配置付帯させ紙幣種別量質の識別を支援し、かつ摘まみ出し易くする。接触摩擦係数の低い平底部表面に収容中の硬貨の相互の重なりを解いて平一面とし、一見で種別量の識別を可能とする。さらに平底部縁回り内外仕切り囲み２と組み合わせ収容中の硬貨を一連として容器外へ送って素早く取出せるよう機能するガイドレール４ａと開閉自在扉４ｂ付き硬貨取出し口状の部品４を配置し、金銭受け渡し行為が問題なく、素早く完結する様構成する。【選択図】図１
0003151989.tif 000002
【実用新案登録請求の範囲】
【請求項１】
日常生活の金銭受け渡し行為中に、当事者相互間に介在させ受け渡すべき金銭を収容し一時停留させておいて当該行為が問題なく進捗していることを相互に確認しあうのに供する容器で、容器中に収容している紙幣面を押さえると当該紙幣端が持ち上がるよう機能する小突起状の部品と、容器中に収容している硬貨が一連となって容器外へ送り出されてくるよう機能するガイドレールと開閉自在扉付き硬貨取出し口状の部品の両方が配置付帯させてあるか、若しくはいずれかの部品が配置付帯させてある金銭受け渡し用容器。
【考案の詳細な説明】
【技術分野】
【０００１】  日々の生活における金銭受け渡し行為に際し、金銭の受け手と渡し手双方の間に介在させる「金銭受け渡し用容器」であって、受け渡しする金銭を当該容器内に収容して一時停留させ当該容器に付帯させてある部品部材を紙幣或いは硬貨にたいして機能させることによって、金銭の種別や量質に問題がないことの確認や受け渡し行為の円滑な遂行と素早い完結が助長されるようになる「金銭受け渡し用容器」に関するものである。
【背景技術】
【０００２】  銀行の窓口やスーパーのレジでは、金銭受け渡し行為者の相互間の身体的位置関係の自然さや周辺空間の確保に配慮が加えられているよう見受けられるのに対し、タクシー車内のドライバーと乗客間の金銭受け渡し行為では、当事者間の身体的位置関係の特異さに加えて乗用自動車内構造物から波及してく空間制限もあって金銭受け渡し行為に際し受け手渡し手双方が当該行為に問題がないことを確認しあったりその円滑な遂行と素早い完結が時として損なわれる恐れもあるやに見受けられる。
この対比事例のような落差も見受けられるにつき、金銭受け渡し行為に際し当事者間の身体的位置関係や周辺構造物から波及してくる影響の度合いにかかわらず、日々の生活における金銭受け渡し行為が常に問題なく円滑に遂行され素早い完結となるように助長する部品部材を配置付帯させた「金銭受け渡し用容器」の現出に期待を寄せざるを得ない。
【考案の開示】
【考案が解決しようとする課題】
【０００３】  日々の生活の一端を形成する金銭受け渡し行為に際し、当事者間の身体的位置関係や周辺構造物から波及してくる影響の度合いにかかわらず、当事者双方が当該行為に問題がないことを容易に確認しあい進行中の当該行為が円滑に遂行され素早い完結となるように助長する部品部材が配置付帯させてある「金銭受け渡し用容器」を現出すること。
【課題を解決するための手段】
【０００４】  深皿や盆或いは箱状類似容器は、収容物を乗せ一時停留させておく平底部とその平底部縁回りの内側と外側を仕切る囲みから構成されているのが一般的で、容器の平底部の広さと縁回り内外仕切り囲みの高さや立ち上がり角度は、収容目的物の種別や量質と出し入れの難易また収容物の散逸防止の程度を目安に決めるのが妥当で、収容物と共に容器自体を手にとる場合もあり軽量で手指掌や周辺構造物との折り合いの良い形態として現出させるのが更に妥当と勘案される。
この見地に加えて「考案が解決しようとする課題」記述の内容をよりよく解決するため、考案の「金銭受け渡し用容器」は、平底部に平らに乗って収容されている紙幣を指で押さえると当該紙幣端が持ち上がるよう紙幣に対し機能する部品である小突起を平底部に配置付帯させ、容器に収容一時停滞中の紙幣の種別量質の識別と摘まみ取り出し易さを助長する。
また表面摩擦係数が低く色目に配意した部材の平底部で収容一時停留中の硬貨の重なりを解き平一面とし一見で種別量の識別を可能とし、更に硬貨に対して機能する部品として平底部縁回り内外仕切り囲みに組合わせてあるガイドレールと開閉自在扉付き硬貨取り出し口で一連となった硬貨を容器外へ送って素早く取り出せるので、紙幣ともども受け渡し行為に際し当該行為が問題なく円滑に遂行され素早い完結となるよう助長できる。
【考案の効果】
【０００５】  受け手渡し手双方の間に考案の「金銭受け渡し用容器」を介在させることによって、背景技術記載例示のタクシードライバーと乗客間の金銭受け渡し行為の場合のように乗用自動車内であるため身内外に多大の制約を受けていても当該金銭受け渡し行為が問題なく円滑に遂行され素早い完結が助長される。
「金銭受け渡し用容器」に配置付帯させた部品部材を紙幣や硬貨に対して機能させることによって日々の生活での金銭受け渡し行為が問題なく円滑に遂行され素早く完結されるよう助長されていく。
【考案を実施するための最良の形態】
【０００６】  考案の「金銭受け渡し用容器」の平底部内面は、接触摩擦係数が低く色目が硬貨識別に適当で軽くて簡単には変形し難い部材とし、中央付近に紙幣に対し機能する部品である小突起を配置付帯させる。
容器外形は紙幣形状に対応した長方形とし、平底部縁回り内外仕切り囲みは、やや高めで立ち上がり角を急とし収容金銭の散逸防止を確実にすると共に手指掌を掛けて都合よく把持できる形態に整える。
平底部縁回り内外仕切り囲みに貫通孔を用意し、その個所と収容中硬貨が一連で容器外へ送られ素早く取り出せるよう機能する部品であるガイドレールと薄樹脂可撓部材の開閉自在扉付き硬貨取り出し口とを組合わせる。
当該容器が金銭の受け手渡し手相互間を容易に移行できるよう、また収納物である通貨の形質を損なわないよう、且つ容器構成形態と配置付帯させてある部品部材が都合よく機能し合うよう総合的に仕上げる。
【実施例】
【０００７】  以下、添付図面に従って一実施例を説明する。１は容器平底部で、紙幣が平らに乗っても四方に少し余裕がある広さ。２は平底部縁回りの内外仕切り囲みで、硬貨の散逸を確実に防止するため少し高めで平底部との角度は直角に近い。後述の４との組みとなる内外貫通孔を備える。
平底部１と平底部縁回り内外仕切り囲み２で構成した容器は、手指掌を添えて把持するのに程よい感触と質量をあわせもつよう考慮を加えた部材とする。【０００８】  ３は平底部１乗った平らな紙幣面を指先で押えると当該紙幣端を持ち上げるよう機能する小突起状の部品で、その際に紙幣面を損なうことなくむしろ紙幣紙質の反応などを含め紙幣種別量質の確認行為と当該紙幣の摘まみ取り出しを助長する。【０００９】  ４は平底部１で相互の重なりが解かれ平ら一面になって平底部に収容一時停留中の硬貨を一連で容器外へ送って取り出せるように機能するガイドレール４ａと薄樹脂可撓部材の開閉自在扉４ｂ付き硬貨取り出し口状の部品である。
なお開閉自在扉４ｂは弾性と可撓性があって掌で押し開閉できる。
【図面の簡単な説明】
【００１０】
【図１】本考案の金銭受け渡し用容器の実施例の斜視図
【図２】ガイドレールと開閉自在扉付き硬貨取出し口として機能する部品の斜視図
【符号の説明】
【００１１】  １  容器平底部
２  平底部縁回り内外仕切り囲み
３  紙幣端を持ち上げるよう機能する小突起状の部品
４  硬貨を一連で容器外へ送って取出せるよう機能する硬貨取出し口状の部品
４ａ  ４に付いている硬貨に対し機能するガイドレール
４ｂ  ４に付いている弾性がある薄樹脂可撓部材の開閉自在扉
【図１】
0003151989.tif 000003
【図２】
0003151989.tif 000004
【手続補正書】
【提出日】平成21年4月16日(2009.4.16)
【手続補正１】
【補正対象書類名】実用新案登録請求の範囲
【補正対象項目名】全文
【補正方法】変更
【補正の内容】
【実用新案登録請求の範囲】
【請求項１】
日常生活の金銭受け渡し行為中に、当事者相互間に介在させ受け渡すべき金銭を収容し一時停留させておいて当該行為が問題なく進捗していることを相互に確認しあうのに供する容器であって、
容器の平底部（１）に小突起状の部品（３）を設け、容器中に収容している紙幣面を押さえると当該紙幣端が持ち上がるよう機能するようにし、
容器中に収容している硬貨が一連となって容器外へ送り出されてくるよう機能するガイドレール（４ａ）と、開閉自在扉（４ｂ）とを備える硬貨取出し口状の部品（４）を備えたことを特徴とする、金銭受け渡し用容器。